(57)【特許請求の範囲】
【請求項１】
カメラのレンズの前方に装着し、平行法用のみならず交差法用のステレオ写真の任意の一方を選択して撮影するためのアダプターであって、前記レンズの上または下に位置しうるレールと、このレール上で左右に配置されて、左右に移動可能に設けられ、少なくとも１枚は前記レールに対する角度が調整できる２枚の四角形の鏡と、を有することを特徴とするステレオ写真アダプター。
【発明の詳細な説明】
【技術分野】
【０００１】
この発明は、カメラのレンズの前方に装着しステレオ写真を撮影するためのアダプターの構造に関する。
【背景技術】
【０００２】
ステレオ写真とは、立体写真ともいい、同じ被写体を、カメラの位置を左右にずらした状態で各々撮影し、この撮影した２枚の写真を左右に並べた状態のものを言う。
このステレオ写真を、実際に立体感を伴って鑑賞するには、特殊なビュアーを使ったり、左右のレンズに異なる色をつけた赤青眼鏡を使ったり、あるいは裸眼によって焦点をずらすようにして見たりして、鑑賞できる。
【０００３】
この裸眼で見る方法には、焦点をずらす位置が後か前かで、平行法と交差法とに分かれる。平行法の場合には、カメラの位置を左にずらした状態で撮影したものは左に並べ、カメラの位置を右にずらした状態で撮影したものは右に並べて、ステレオ写真を作る。交差法の場合には、逆に、カメラの位置を左にずらした状態で撮影したものは右に並べ、カメラの位置を右にずらした状態で撮影したものは左に並べて、ステレオ写真を作る。
【０００４】
この平行法用のステレオ写真を撮るためのカメラが、特許文献１、２に提案されており、Ｖ字状の鏡が用いられる。
【特許文献１】特開平07-077747
【特許文献２】特開平07-128758
【発明の開示】
【発明が解決しようとする課題】
【０００５】
しかしながら、特許文献１、２の技術では、平行法用のステレオ写真を撮ることはできても、同じカメラで、交差法用のステレオ写真を撮ることはできない。
この発明は、以上の問題点を解決するために、平行法用のみならず交差法用のステレオ写真をも撮ることができるステレオ写真アダプターを提供することを目的とする。
【課題を解決するための手段】
【０００６】
以上の課題を解決するために、第一発明は、カメラのレンズの前方に装着しステレオ写真を撮影するためのアダプターであって、前記レンズの上または下に位置しうるレールと、このレール上で左右に配置されて、左右に移動可能に設けられ、少なくとも１枚は前記レールに対する角度が調整できる２枚の四角形の鏡と、を有することを特徴とするステレオ写真アダプターである。
【０００７】
第二発明は、前記装着は、アームが、前記カメラの本体に既存の三脚ネジによって回動可能に螺合されて取り付けられ、前記アームの先端に前記レールが回動可能に設けられていることでおこなわれ、前記レールは、前記レンズの上および下に２本が平行に位置し、前記２枚の鏡は、前記２本のレールに跨って前記レール上を左右にスライド移動可能であることを特徴とするステレオ写真アダプターである。
【発明の効果】
【０００８】
第一、又は第二発明によれば、カメラにアダプターを装着し、カメラのレンズの上または下に位置させたレール上で、２枚の四角形の鏡を、互いに平行に、レールに対する角度を約４５度に調整し、左右に移動し、右の鏡の左側でレンズの右半分を覆い、左の鏡をレンズの左外側に配置することで、交差法用のステレオ写真を撮影できる。
【０００９】
また同じく、レール上で、２枚の四角形の鏡を、互いに平行に、レールに対する角度を約４５度に調整し、左右に移動し、右の鏡の右側でレンズの左半分を覆い、左の鏡を右の鏡の左外側に配置することで、平行法用のステレオ写真を撮影できる。
このようにして、平行法用のみならず交差法用のステレオ写真を撮影できる。
また、左右の鏡の距離を変更することで、いわゆるステレオベースを変更でき、被写体までの距離が、近距離、中距離、遠距離であっても対応できる。
【００１０】
また、第二発明によれば、さらに、アームの取り付けが、三脚ネジによって行われることで、アダプターの装着が容易になる。
また、アームが回動可能で、アームに対してレールが回動可能であることから、アダプターの折畳み収納が可能になる。そして、レンズの大きさの異なるカメラにも取り付けが可能になる。
また、レールはレンズの上および下に２本が平行に位置し、２枚の鏡が、２本のレールに跨って左右にスライド移動可能であることから、鏡の安定した移動が可能になる。
【発明を実施するための最良の形態】
【００１１】
この発明の実施形態を、図１から図３に示す。
既存のカメラ１に対して、レンズ３の前方に装着でき、ステレオ写真を撮影するためのアダプター５である。
図２に示すように、アダプター５のアーム７は、基部９（同図（Ｃ））に、独立して回動する雄ネジ１１が設けられ、この雄ネジ１１が、カメラ１の下面に既存の三脚用の雌ネジに、回転し螺合することで、アーム７が取り付ける。取り付けられたアーム７は、カメラ１の前方へ突出し、おおよそ、レンズ３よりも前に位置する。
【００１２】
このアーム７の先端には、レール１５が設けられる。このレール１５は、平行な２本が一組で用いられ、アーム７の先端に対して回動可能に設けられる。
すなわち、アーム７の先端は円筒状のスペーサー１７に一体的に連結される。このスペーサー１７は円筒状が上下方向に配置され、２本のレール１５の一方の端に各々設けられる円筒状部１９が、上下に接続され、これらの３者の円筒状の部分に図示しないボルトが捻じ込まれる。捻じ込まれる強さにより、アーム７に対するレール１５の回動時のきつさが調整できる。
同様に、２本のレール１５の他方の端に、円筒状のスペーサー１８が、上下方向に配置され、２本のレール１５の一方の端に各々設けられる円筒状部２０が、上下に接続され、これらの３者の円筒状の部分に図示しないボルトが捻じ込まれる。
【００１３】
そして、レール１５に対して、２枚の四角形の鏡２３、２４が、左右に移動可能に設けられ、レール１５に対する角度が調整できる。
すなわち、図３に示すように、四角形の第１の鏡２３は、回動部２５を介して上下に一対のスライダー２７が設けられる。スライダーは、２本のレール１５に跨って上下から嵌合溝２８により嵌合する。これにより、鏡２３は、２本のレール１５に跨って前記レール１５上を左右にスライド移動可能である。
図４に示すように、四角形の第２の鏡２４は、回動角度の微調整の容易な回動部２６を介して上下一体のスライダー３０が設けられる。スライダー３０は、２本のレール１５に跨って上下から嵌合溝３２により嵌合する。これにより、鏡２４は、２本のレール１５に跨って前記レール１５上を左右にスライド移動可能である。
【００１４】
「実施形態の効果」
この実施形態によれば、まず、交差法用のステレオ写真を撮影する場合には、平面図である図１（Ａ）に示すように、カメラ１にアダプター５を装着し、２本の平行なレール１５を、カメラ１のレンズ３の上下で、カメラ１に対して平行に位置させる。これらの２本のレール１５上で、２枚の四角形の鏡２３を、平行に、レール１５に対する角度を左へ約４５度に調整する。そして、左右に移動し、右の第１の鏡２３の左側、すなわち先端側でレンズ３の右半分を覆う。そして、左の第２の鏡２４をレンズ３の左外側に配置する。これにより、レンズ３への右半分の光は、レンズ３から離れた左の第２の鏡２４にまず受けられ、反射されて、右の第１の鏡２３に入り、レンズ３の右半分に入る。レンズ３への左半分の光は、そのまま直進してレンズ３の左半分に入る。
【００１５】
次に、平行法用のステレオ写真を撮影する場合には、平面図である図１（Ｂ）に示すように、同じく、レール１５上で、２枚の四角形の鏡２３を、平行に、レール１５に対する角度を左へ約４５度に調整し、左右に移動し、右の第１の鏡２３の右側、すなわち回動部２５側でレンズ３の左半分を覆う。そして、左の第２の鏡２４を、右の第１の鏡２３の左外側に配置する。これにより、レンズ３への右半分の光は、そのまま直進してレンズ３の右半分に入る。レンズ３への左半分の光は、レンズ３から離れた第２の鏡２４にまず受けられ、反射されて、第１の鏡２３に入り、レンズ３の左半分に入る。
このようにして、交差法用のみならず平行法用のステレオ写真を撮影できる。
【００１６】
また、図１（Ａ）（Ｂ）で、レンズ３からの左の鏡２４の距離を変更することで、左右の鏡２３の相互の距離を変更でき、いわゆるステレオベースを変更できるので、被写体までの距離が、近距離、中距離、遠距離であっても対応できる。
さらに、アーム７の取り付けが、通常のカメラ１には備えられている既存の三脚ネジによって行われることで、アダプター５の装着が容易になる。
また、アーム７が回動可能で、アーム７に対してレール１５が回動可能であることから、アダプター５の折畳み収納が可能になる。そして、カメラ本体からレール１５までの距離が変更できるので、レンズ３の大きさの異なるカメラ１にも取り付けが可能になる。
また、レール１５はレンズ３の上および下に２本が平行に位置し、２枚の鏡２３、２４が、この２本のレール１５に跨って左右にスライド移動可能であることから、鏡２３、２４の安定した移動が可能になる。
また、左の鏡２４は、回動角度の微調整の容易な回動部２６を有することで、レール１５に対する角度を微調整できるようにし、被写体がフレームにうまく容易に入るように調整できるようにする。被写体との距離が変化し、カメラのズームを使う場合であっても、フレームに入れ易く、思い通りの撮影が可能になる。
【００１７】
「他の実施形態」
以上の実施形態では、アーム７は一本の部材であったが、他の実施形態では、アーム７は平行リンク機構で構成され、よって、アーム７を動かしてもレール１５はレンズ３に対する角度を変えなくて済むようにしてもよい。これにより、操作性がよくなる。
【００１８】
以上の実施形態では、アダプター５の装着は三脚ネジによるものであったが、他の実施形態では、それ以外の構造により、装着されてもよい。たとえば、カメラ本体の前面の四隅に嵌合し、中央にレンズ３のための孔が形成された、蓋状のベースキャップに対して、レール１５が設けられる構造でもよい。ベースキャップをカメラの前面に嵌合することで、装着が行われる。
【００１９】
以上の実施形態では、レール１５は２本であったが、他の実施形態では、１本でもかまわない。１本のレール１５を、レンズの上または下に位置させ、スライダーが包み込むように設けられることで、鏡２３、２４のスライド移動が可能である。
以上の実施形態では、二つの鏡２３，２４は、ともにレールに対する角度調整が可能であったが、他の実施形態では、少なくとも一方の鏡２４を角度調整可能とし、他方の鏡２３の角度を固定とするものであってもよい。
以上の実施形態では、２本のレール１５は、カメラボディーの外部に設けられるものであったが、他の実施形態では、カメラボディーの表面に溝を形成し、埋め込まれたレールとして使用できる。すなわち、埋め込み式のレールの形状はいろんな形のものが考えられ、Ｌ字型やＴ字型の溝でも良い。
【図面の簡単な説明】
【００２０】
【図１】この発明の一実施形態の作用を示すもので、（Ａ）は交差法用のステレオ写真を撮影する場合を示す平面図、（Ｂ）は平行法用のステレオ写真を撮影する場合を示す平面図である。
【図２】図１の実施形態のアダプターをカメラに装着した状態を示すもので、（Ａ）は前方からの斜視図、（Ｂ）は後方からの斜視図、（Ｃ）は側面図である。
【図３】図１の実施形態のアダプターを構成する鏡を示す斜視図である。
【図４】図１の実施形態のアダプターを構成する他の鏡を示す斜視図である。
【符号の説明】
【００２１】
１…カメラ、３…レンズ、５…アダプター、７…アーム、９…基部、１１…雄ネジ、１３…雌ネジ、１５…レール、１７…スペーサー、１８…スペーサー、１９…円筒状部、２０・・円筒状部、２３…鏡、２５…回動部、２７…スライダー。
【図１】
0004994154.tif 000002
【図２】
0004994154.tif 000003
【図３】
0004994154.tif 000004
【図４】
0004994154.tif 000005